(57)【要約】【課題】背の低い人や車椅子に乗っている人であっても、原稿を所定の位置に正確に載置することができるようにする。【解決手段】画像読取ユニット２７は、原稿が載置される原稿台ガラス２５と、原稿の画像を読み取る画像読取装置２と、画像読取装置２の操作条件を表示する操作部３と、原稿台ガラスに載置された原稿の載置状態を検知する原稿台用カメラ２０とを備えている。操作部３が、原稿台用カメラ２０によって検知された原稿の載置状態を表示するようになっている。画像読取ユニット２７は、背の低い人や車椅子に乗っている人Ｍであっても、操作部３の表示を見ながら原稿を所定の位置に正確に載置することができるので、原稿を正確に読み取ることができる。【選択図】図１
2007158625.tif 000002
【特許請求の範囲】
【請求項１】
原稿が載置される原稿載置手段と、
前記原稿の画像を読み取る原稿読取手段と、
前記原稿載置手段に載置された原稿の載置状態を検知する載置検知手段と、を備え、
前記載置検知手段によって検知された原稿の載置状態を表示する表示手段と、を有する、
ことを特徴とする画像読取ユニット。
【請求項２】
前記原稿載置手段が、前記原稿読取手段の上方に配設されて原稿が載置される原稿台ガラスであり、
前記載置検知手段が、前記原稿台ガラスを開閉する開閉部材に設けられて前記開閉部材によって前記原稿台ガラスが開かれた状態において前記原稿台ガラスに載置された原稿を捉える原稿台カメラである、
ことを特徴とする請求項１に記載の画像読取ユニット。
【請求項３】
前記原稿読取手段の上に配設されて前記原稿読取手段に原稿を送る原稿送り装置を備え、
前記原稿載置手段が、前記原稿送り装置に設けられて原稿が載置される原稿載置トレイであり、
前記載置検知手段が、前記原稿積載トレイに載置された原稿を捉えるトレイ用カメラである、
ことを特徴とする請求項１に記載の画像読取ユニット。
【請求項４】
前記原稿載置手段が、２つ備えられ、
一方の原稿載置手段が、前記原稿読取手段の上方に配設されて原稿が載置される原稿台用ガラスであり、
他方の原稿載置手段が、原稿送り装置に設けられた原稿載置トレイであり、
前記原稿送り装置が、前記原稿台ガラスを開閉可能に配設されて前記原稿台ガラスを閉めた状態で前記原稿載置トレイに載置された原稿を前記原稿台ガラスに送るようになっており、
前記載置検知手段が、２つ備えられ、
一方の載置検知手段が、前記原稿台ガラスを開閉する開閉部材に設けられて前記開閉部材によって前記原稿台ガラスが開かれた状態において前記原稿台ガラスに載置された原稿を捉える原稿台カメラであり、
他方の載置検知手段が、前記原稿積載トレイに載置された原稿を捉えるトレイ用カメラである、
ことを特徴とする請求項１に記載の画像読取ユニット。
【請求項５】
前記原稿載置手段が、２つ備えられ、
一方の原稿載置手段が、前記原稿読取手段の上方に配設されて原稿が載置される原稿台用ガラスであり、
他方の原稿載置手段が、原稿送り装置に設けられた原稿載置トレイであり、
前記原稿送り装置が、前記原稿台ガラスを開閉可能に配設されて前記原稿台ガラスを閉めた状態で前記原稿載置トレイに載置された原稿を前記原稿台ガラスに送るようになっており、
前記載置検知手段が、前記原稿送り装置によって前記原稿台ガラスが開かれているとき前記原稿台ガラスに載置された原稿を捉え、前記原稿送り装置によって前記原稿台ガラスが閉められているとき前記原稿載置トレイに載置された原稿を捉える共用カメラである、
ことを特徴とする請求項１に記載の画像読取ユニット。
【請求項６】
前記表示手段は前記原稿読取手段の操作条件を表示することを特徴とする請求項１乃至５のいずれかに記載の画像読取ユニット。
【請求項７】
前記表示手段が、前記原稿読取手段より下方に配置されている、
ことを特徴とする請求項１乃至６のいずれか１項に記載の画像読取ユニット。
【請求項８】
前記表示手段が、前記原稿読取手段の下部に設けられて操作者側に出没可能な支持部材に支持されている、
ことを特徴とする請求項１乃至７のいずれか１項に記載の画像読取ユニット。
【請求項９】
前記原稿読取手段の原稿読取動作中に、前記支持部材を前記原稿読取手段の下部に引き込む引き込み手段を備えた、
ことを特徴とする請求項８に記載の画像読取ユニット。
【請求項１０】
前記表示手段が、前記支持部材に対する取り付け傾斜角を調整可能にする角度調整機構によって前記支持部材に取り付けられている、
ことを特徴とする請求項８又は９に記載の画像読取ユニット。
【請求項１１】
前記表示手段における、前記原稿台ガラスに載置された原稿の載置状態の表示と、前記原稿積載トレイに載置された原稿の載置状態の表示とを選択的に切り換える積載表示切替手段を備えた、
ことを特徴とする請求項４又は５に記載の画像読取ユニット。
【請求項１２】
前記原稿読取手段の動作条件と、前記載置検知手段によって検知された原稿の載置状態とを前記表示手段に選択的に切り換える動作表示切換手段を備えた、
ことを特徴とする請求項６に記載の画像読取ユニット。
【請求項１３】
原稿の画像を読み取る画像読取ユニットと、
前記画像読取ユニットによって読み取られた前記原稿の画像をシートに形成する画像形成部と、を備え、
前記画像読取ユニットが、請求項１乃至１２のいずれか１項に記載の画像読取ユニットである、
ことを特徴とする画像形成装置。
【発明の詳細な説明】
【技術分野】
【０００１】
本発明は、表示装置を備えた画像読取ユニットと、この画像読取ユニットを備えた画像形成装置とに関する。
【背景技術】
【０００２】
図７は従来の画像読取ユニットを備えた画像形成装置の右側面図である。
【０００３】
画像形成装置１００は、収容ラック１０５の上部に設けられた画像読取ユニット１２７と、収容ラック１０５に収容された画像形成部１０４等で構成されている。画像読取ユニット１２７は、画像読取装置１０２と、原稿を画像読取装置１０２の読取部まで自動的に送る原稿送り装置１０１と、液晶表示部を備えた操作部１０３等で構成されている。なお、画像読取装置１０２は、ユーザが不図示の原稿台ガラスに原稿を１枚ずつ載置しても原稿を読み取ることもできるようになっている。このため、画像読取ユニット１２７は、原稿送り装置１０１を備えていない場合もある。
【０００４】
画像読取装置１０２は、原稿の画像情報を読み取りデジタル信号で処理して画像形成部１０４に送信するようになっている。画像形成部１０４は、一般的に画像読取装置１０２で読み取った画像情報である読み取りデジタル信号を基にしてシートに画像を形成するようになっている。画像読取装置１０２と画像形成部１０４との間には、画像形成部１０４の排紙部１０６が形成されている。排紙部１０６は、原稿の画像が複写されたシートが排出されて積載されるようになっている。
【０００５】
このように従来の画像形成装置１００は、胴内に排紙部１０６を備えている。排紙部１０６は、積載されたシートを取り出し易くするため、空間を広くしてある。このため、排紙部１０６の上に配置された画像読取ユニット１２７は、より高い位置に配置されていた。
【０００６】
このような構成において、操作性を改善するため、特許文献１に記載の画像形成装置は、操作部を排紙部より下位に設けた構成になっている。
【０００７】
【特許文献１】特開２００１−１３００８９号公報
【発明の開示】
【発明が解決しようとする課題】
【０００８】
しかし、従来の画像形成装置は、操作部だけ位置を下げた構造になっているので、画像読取ユニットが高い位置に配設されたままになっている。
【０００９】
このため、原稿送り装置１０１を有していない画像読取ユニットは、背の低い人や車椅子に乗った人が、画像読取装置１０２における原稿台ガラス上の所定の位置に原稿を正確に載置することが困難であった。また、原稿台ガラスに載置した原稿の位置を確認するのも困難であった。
【００１０】
原稿送り装置１０１を有している画像読取ユニットは、上記の課題の他に、背の低い人や車椅子に乗った人によって、原稿載置トレイの所定の位置に原稿が正確に載置されないと、原稿送り装置において、原稿が斜行して原稿の給紙不良を起こすことがあった。また、原稿送り装置の原稿載置トレイに載置した原稿の位置を確認するのも困難であった。
【００１１】
画像読取装置において、原稿が原稿台ガラスや原稿載置トレイの所定の位置に正確に載置されていないと、読み込まれる画像が斜めになったり、端部が欠けたりしていた。
【００１２】
本発明は、背の低い人や車椅子に乗っている人であっても、原稿を所定の位置に正確に載置することができる画像読取ユニットを提供することにある。
【００１３】
本発明は、原稿を所定の位置に正確に載置することのできる画像読取ユニットを備え、シートに画像を正確かつ確実に形成できる画像形成装置を提供することにある。
【課題を解決するための手段】
【００１４】
本発明の画像読取ユニットは、原稿が載置される原稿載置手段と、前記原稿の画像を読み取る原稿読取手段と、前記原稿載置手段に載置された原稿の載置状態を検知する載置検知手段と、前記載置検知手段によって検知された原稿の載置状態を表示する表示手段と、を有している。
【発明の効果】
【００１５】
本発明の画像読取ユニットは、表示手段が、載置検知手段によって検知された原稿の載置状態を表示するようになっている。このため、背の低い人や車椅子に乗っている人であっても、表示手段の表示を見ながら原稿を所定の位置に正確に載置することができるので、原稿を正確に読み取ることができる。
【発明を実施するための最良の形態】
【００１６】
以下、本発明の実施形態の画像読取ユニットと、この装置を備えた画像形成装置とを図に基づいて説明する。
【００１７】
図１は、本発明の実施形態における画像形成装置の右側面図である。図２は、本発明の実施形態における画像読取ユニットの概略正面断面図である。
【００１８】
図１において、画像形成装置３０は、収容ラック５の上部に設けられた画像読取ユニット２７と、収容ラック５に収容された画像形成部４等で構成されている。画像読取ユニット２７は、原稿読取手段としての画像読取装置２と、原稿を画像読取装置２の読取部まで自動的に送る原稿送り装置１と、液晶表示部を備えた表示手段としての操作部３等で構成されている。なお、画像読取装置２は、ユーザが不図示の原稿台ガラスに原稿を１枚ずつ載置しても原稿を読み取ることもできるようになっている。このため、画像読取ユニット２７は、原稿送り装置１を必ずしも備えている必要がない。
【００１９】
画像読取装置２は、原稿の画像情報を読み取りデジタル信号で処理して画像形成部４に送信するようになっている。画像形成部４は、一般的に画像読取装置２で読み取った画像情報である読み取りデジタル信号を基にしてシートに画像を形成するようになっている。画像読取装置２と画像形成部４との間には、画像形成部４の排紙部６が形成されている。排紙部６は、原稿の画像が複写されたシートが排出されて積載されるようになっている。
【００２０】
原稿送り装置１は、画像読取装置２の上に設けられた原稿載置手段としての原稿台ガラス２５の上面を覆うように取り付けられている。原稿送り装置１は、原稿載置トレイ７に積載された原稿を、分離給送ローラ８で１枚ずつに分離して、搬送ベルト９で、順次、画像読取装置２の原稿台ガラス２５上に供給して、反転排紙部１０で原稿を反転してから排出部１１に排出するようになっている。また、開閉部材としての原稿送り装置１は、画像読取装置２に対して開閉自在に設けてあり、画像読取装置２に対して開くことによって、原稿台ガラス２５に原稿を載置できるようになっている。
【００２１】
図２において、ユーザ（操作者）は、原稿送り装置１を使用するとき、原稿を原稿載置手段としての原稿載置トレイ７上に積載する。また、本や雑誌などのよう、原稿載置トレイ７に積載出来ない原稿は、原稿送り装置１を開け、直接、画像読取装置２上の原稿台ガラス２５に載置される。
【００２２】
画像読取装置２は、原稿送り装置１によって、原稿が原稿台ガラス２５上の所定の位置へ搬送されると、画像読取装置２のランプ１２を点灯させ、かつスキャナユニット１３を走査させて、ランプ１２で原稿を照射する。原稿からの反射光は、ミラー１４，１５，１６、及びレンズ１７を通してＣＣＤイメージセンサ部１８に入力される。ＣＣＤイメージセンサ部１８に照射された原稿の反射光は、ＣＣＤイメージセンサ部１８で光電変換等の電気処理が行われ、通常のデジタル処理が施される。
【００２３】
操作部３は液晶表示である。操作部３は、原稿読取装置２や画像形成装置３の操作に関する諸条件が表示されるようになっている。操作部３は、画像読取装置２の下部に設けた案内部材３１に、ユーザ側に引き出し自在に設けられた平板状の支持部材３２の先端に設けられている。このため、操作部３は、低い位置に設けられていることになり、背の低い人や車椅子に乗っている人Ｍの視認性や操作性を高めることができる。
【００２４】
支持部材３２は、画像読取装置２がスタンバイ状態のとき、不図示のラックとピニオンを介して引き込み手段であるモータ３３によって、操作部３を画像読取装置２より前方に突出されるようになっている（図１の状態）。このため、操作部３は、前方に突き出て、背の低い人や車椅子に乗っている人Ｍの視認性や操作性を高められるようになっている。
【００２５】
操作部３は、角度調整機構３４によって支持部材３２に角度を変えられるように設けられている（図２の点線の状態）。このため、操作部３は、健常者、背の低い人、車椅子に乗っている人Ｍにそれぞれ合わせて向きを変えることができる。したがって、操作部３に対する健常者の視認性や操作性を損なうことなく、背の低い人や車椅子に乗っている人Ｍの視認性や操作性を高めることができる。
【００２６】
また、原稿送り装置１の給紙部２６の上面に載置検知手段としての小型のトレイ用カメラ１９が設置されている。トレイ用カメラ１９は、原稿載置トレイ７に載置された原稿の積載状態がモニタできるようになっている。
【００２７】
さらに、原稿送り装置１の原稿台ガラス２５側には、載置検知手段としての小型の原稿台用カメラ２０が設置されており、原稿台ガラス２５上の原稿の載置状態がモニタできるようになっている。
【００２８】
これらの画像は、操作部３に出力される。原稿載置トレイ７上の原稿セット状態の出力画像（図３）と、原稿台ガラス２５上の原稿セット状態の出力画像（図４）との切り換えは、原稿送り装置１に設けられている積載表示切換手段としての開閉検知２１によって行われる。原稿送り装置１が原稿台ガラス２５を開いて、開閉検知２１が「開」を検知すると、原稿台ガラス２５上の画像が操作部３に出力される。原稿送り装置１が原稿台ガラス２５を閉めて、開閉検知２１が「閉」を検知すると、原稿載置トレイ７上の画像を操作部３に出力される。
【００２９】
なお、通常の操作部画面（図５）と原稿載置トレイ７上の原稿セット状態の出力画像（図３）との切り換えは、操作部３上にある動作表示切換手段としての切り換えボタン２２で行うことが出来る。なお、この両画像の切り換えは、原稿送り装置の原稿セット検知によって行われてもよい。
【００３０】
操作部３上にあるスタートボタン２３を押されてジョブが開始されると操作部３は、モータ３３によって画像読取装置２の下面に退避する。このようにすることで、画像形成部４の排紙部６に排出されたシートの取り出し易さを損なうことがない。また、操作部３がユーザに触れる虞が少なくなり、操作部３の損傷を防止することができる。
【００３１】
なお、本実施形態の画像読取ユニット２７は、原稿送り装置の変わりに、原稿カバー（圧板）を設け、その原稿カバー（圧板）に、原稿台ガラス２５上の原稿の積載性を確認する小型の原稿台用カメラ２０を設置してもよい。
【００３２】
また、カメラ１９，２０は、必ずしも、原稿送り装置１に個々に設ける必要がない。図６に示すように、画像読取装置２に直接設置した小型の共用カメラ２４によって、原稿載置トレイ７に載置された原稿と、原稿台ガラス２５に載置された原稿の載置位置を選択的に捉えてもよい。
【００３３】
なお、本発明の画像読取ユニット２７は、原稿送り装置１と画像読取装置２とを備えているが、原稿送り装置１は、必ずしも必要としない。画像読取装置２単体であってもよい。画像読取装置単体でも、比較的高い位置に置かれた場合においても、本発明を適用することによって、背の低い人や車椅子に乗っている人Ｍが原稿を原稿台ガラスの所定の位置に原稿を正確に載置することができる。
【００３４】
以上、説明したように、本発明の画像読取ユニットは、背の低い人や車椅子に乗っている人Ｍが、操作部３の液晶表示部を見ながら、原稿を原稿載置トレイ７上又は原稿台ガラス２５上の所定の位置に正確にセットすることができる。このため、本発明の画像読取ユニットは、読み込まれる画像が斜めになったり、端部が欠けたりすることなく、原稿の画像を正確に読み取ることができる。
【００３５】
また、本発明の画像読取ユニットは、原稿を原稿載置トレイ７上の所定の位置に正確にセットすることができるので、原稿送り装置１が、原稿が斜行して原稿の給紙不良を引き起こすことを防止することができる。
【００３６】
本発明の画像形成装置３０は、原稿を所定の位置に正確に載置することのできる画像読取ユニット２７を備えているので、シートに画像を正確かつ確実に形成することができる。
【図面の簡単な説明】
【００３７】
【図１】本発明の実施形態における画像形成装置の概略右側面図である。
【図２】本発明の実施形態における画像読取ユニットの概略正面断面図である。
【図３】図１の画像読取ユニットの操作部に原稿載置トレイに原稿が載置されている状態が映し出されているときの図である。
【図４】図１の画像読取ユニットの操作部に原稿台ガラスに原稿が載置されている状態が映し出されているときの図である。
【図５】図１の画像読取ユニットの操作部に画像読取ユニットと画像読取部との操作条件が表示されているときの図である。
【図６】他の実施形態のカメラを備えた画像読取ユニットの概略正面図である。
【図７】従来の画像読取ユニット（原稿送り装置と画像読取装置）と画像形成装置の構成説明図である。
【符号の説明】
【００３８】
Ｍ      背の低い人や車椅子に乗っている人
１      原稿送り装置（開閉部材）
２      画像読取装置（原稿読取手段）
３      操作部（表示手段）
４      画像形成部
５      収容ラック
７      原稿載置トレイ（原稿載置手段）
１９      トレイ用カメラ（載置検知手段）
２０      原稿台用カメラ（載置検知手段）
２１      開閉検知（積載表示切換手段）
２２      切り換えボタン（動作表示切換手段）
２３      スタートボタン
２４      共用カメラ
２５      原稿台ガラス（原稿載置手段）
２６      給紙部
２７      画像読取ユニット
３０      画像形成装置
３１      案内部材
３２      支持部材
３３      モータ（引き込み手段）
３４      角度調整機構
【図１】
2007158625.tif 000003
【図２】
2007158625.tif 000004
【図３】
2007158625.tif 000005
【図４】
2007158625.tif 000006
【図５】
2007158625.tif 000007
【図６】
2007158625.tif 000008
【図７】
2007158625.tif 000009